(57)【要約】【課題】机やテーブル上の空気を常に換気して清浄化することが可能で、容易に設置可能な簡易型空気清浄ユニットを提供する。【解決手段】長方形状のテーブル板１ａを有するテーブル１の上方に設置された覆い２と、覆い２の中央を貫通して設置された小型で円柱状の空気清浄機３とを備えている。ここで、空気清浄機３はモバイルバッテリーを備えている。空気清浄機３の吸気口は覆いの下側に、排気口３ｂは覆いの上側に配置されている。また、覆い２と空気清浄機３をテーブル１の上方に設置する設置手段として、覆い２を固定し空気清浄機３を保持するための４個の脚部４を備えている。脚部４の下端４ａはテーブルの縁部に固定する固定具５により固定されている。【選択図】図１
0003233108.tif 000002
【実用新案登録請求の範囲】
【請求項１】
机又はテーブルの上方に配置された上に凸状の覆いと、
前記覆いの中央部に該覆いを貫通して配置された空気清浄機と、
前記覆いと前記空気清浄機を前記机又はテーブル上に設置する設置手段と、を有し、
前記空気清浄機の吸気口及び排気口は、それぞれ前記覆いの下側及び上側に配置されることを特徴とする簡易型空気清浄ユニット。
【請求項２】
前記空気清浄機は、該空気清浄機を動作させるためのバッテリーを備えていることを特徴とする請求項１に記載の簡易型空気清浄ユニット。
【請求項３】
前記設置手段は、前記覆い又は前記空気清浄機を固定又は保持する少なくとも３個の脚部と、該脚部の下端を前記机又はテーブルの縁部に固定する固定手段とを有することを特徴とする請求項１又は２に記載の簡易型空気清浄ユニット。
【請求項４】
前記設置手段は、前記覆い又は前記空気清浄機を固定又は保持する脚部を有し、該脚部の下端が前記机又はテーブル上に静置されるように構成されていることを特徴とする請求項１又は２に記載の簡易型空気清浄ユニット。
【請求項５】
前記設置手段は、前記覆い又は前記空気清浄機を上方より固定又は保持するための
上部取り付け手段を有することを特徴とする請求項１又は２に記載の簡易型空気清浄ユニット。
【請求項６】
前記設置手段は、前記空気清浄機を載置し保持するための空気清浄機ホルダを有することを特徴とする請求項１乃至５のいずれか１項に記載の簡易型空気清浄ユニット。
【請求項７】
前記覆いの上端は前記机又はテーブルの表面より５０ｃｍ以上上方に位置することを特徴とする請求項１乃至６のいずれか１項に記載の簡易型空気清浄ユニット。
【請求項８】
前記覆いと前記空気清浄機との間の隙間が５ｍｍ以内となるように構成されていることを特徴とする請求項１乃至７のいずれか１項に記載の簡易型空気清浄ユニット。
【請求項９】
前記覆いの下側の開口部の大きさは、前記机又はテーブルの表面積の３０％以上であることを特徴とする請求項１乃至８のいずれか１項に記載の簡易型空気清浄ユニット。
【考案の詳細な説明】
【技術分野】
【０００１】
本考案は、机又はテーブル上に配置され、人が机又はテーブルに向かって食事や会話等を行う際に人から排出される新型コロナウィルス等の有害なウィルスや菌、及びそれらを含んだ飛沫などを含んだ空気を浄化する簡易型空気清浄ユニットに関する。
【背景技術】
【０００２】
近年、新型コロナウィルスに対する感染防止対策が非常に重要となっており、多数の人が集まる場所では、感染者の口や鼻から放出されるウィルスを含む可能性がある空気を清浄化するため、換気手段や空気清浄機の設置が必須となっている。この目的では多くの種類の空気清浄機が開発され使用されている。特許文献１には、人に装着して個人的に使用可能な空気清浄機が記載されている。
【先行技術文献】
【特許文献】
【０００３】
【特許文献１】特開２０１９−２１９１４５号公報
【考案の概要】
【考案が解決しようとする課題】
【０００４】
１つの机やテーブルを囲んで行う会食や会議等の際には、互いに近接した対面配置となるので、特に人から放出され対面の相手に向かう空気が集中する机やテーブル上の空気を常に換気し清浄化することが望まれる。しかし、従来の空気清浄機をそのような局所的な空気清浄に用いるためには、そのための大掛かりな専用の設置手段が必要となってしまい、設置のためのコストや工数が必要となるので汎用的な利用は難しい。また、特許文献１のような個人的な空気清浄機もコストがかかることや装着の煩わしさがあり、簡易的には利用しにくい。
【０００５】
そこで、本考案は、係る問題を解決するためになされたものであり、机やテーブル上の空気を常に換気して清浄化することが可能で、容易に設置可能な簡易型空気清浄ユニットを提供することを目的とする。
【課題を解決するための手段】
【０００６】
第１の観点では、本考案の簡易型空気清浄ユニットは、机又はテーブルの上方に配置された上に凸状の覆いと、前記覆いの中央部に該覆いを貫通して配置された空気清浄機と、前記覆いと前記空気清浄機を前記机又はテーブル上に設置する設置手段と、を有し、前記空気清浄機の吸気口及び排気口は、それぞれ前記覆いの下側及び上側に配置されることを特徴とする。
【０００７】
本考案の簡易型空気清浄ユニットでは、机又はテーブルの上方に配置された覆いとその中央部に配置された空気清浄機の吸気口により、会食や会議等の参加者より排出された机又はテーブル上の汚染の可能性のある空気を吸い取り、覆いの外側の空気清浄機の排気口より清浄空気として排出する。その清浄空気は机又はテーブルの周囲の外側より内部に流入するので、机やテーブル上の空気は常に換気されて清浄化されることになる。
【０００８】
ここで、机又はテーブルが一般的な形状であれば、その形状や大きさに合わせて本発明の簡易型空気清浄ユニットを構成すればよい。覆いや空気清浄機の位置は食事や会議形態、及びその参加者の顔の位置などを考慮して机又はテーブル表面からの高さを設定すればよい。本発明に用いる覆いの形状や大きさは、上側に膨らんだ球面などの曲面形状、四角錐形状等、机又はテーブルの形状に合わせて任意に選択可能である。空気清浄機の形状も、円柱形状、直方体形状など任意に選択でき、大きさや換気容量等も目的に合わせて選択可能である。吸気口が覆いの下側、排気口が覆いの上側に配置されるように、空気清浄機に吸気管、排気管等のアタッチメントを付加してもよい。設置手段としては、多くの工数を要することなく覆いと空気清浄機を机又はテーブル上に簡単に設置可能な構成であればよい。
【０００９】
第２の観点では、本考案は、第１の観点の簡易型空気清浄ユニットにおいて、前記空気清浄機は、該空気清浄機を動作させるためのバッテリーを備えていることを特徴とする。ここで、バッテリーは、空気清浄機に内蔵されていてもよく、又は空気清浄機に外付けされていてもよい。バッテリーの容量は、空気清浄機の消費電力、使用形態、動作時間等に合わせて選択すればよい。
【００１０】
第３の観点では、本考案は、前記第１又は第２の観点の簡易型空気清浄ユニットにおいて、前記設置手段は、前記覆い又は前記空気清浄機を固定又は保持する少なくとも３個の脚部と、該脚部の下端を前記机又はテーブルの縁部に固定する固定手段とを有することを特徴とする。ここで、脚部が覆い又は空気清浄機の両方を固定又は保持するように構成してもよい。あるいは、覆い又は空気清浄機の一方を固定又は保持し、他方は脚部が固定又は保持する覆い又は空気清浄機に固定又は保持されていてもよい。脚部の個数と強度は、机又はテーブルの形状や大きさ、覆いと空気清浄機の重量等に合わせて選択可能である。また、脚部の下端の固定手段は、机又はテーブルに取り外し可能で簡単に固定できる構造であればよい。例えば、４人用の正方形又は長方形のテーブルの場合、その先端がテーブルの４つの角部に位置するような４個の脚部を備え、その先端部分にテーブル板を上下から挟んで固定するような固定具を設けてもよい。
【００１１】
第４の観点では、本考案は、前記第1又は第２の観点の簡易型空気清浄ユニットにおいて前記設置手段は、前記覆い又は前記空気清浄機を固定又は保持する脚部を有し、該脚部の下端が前記机又はテーブル上に静置されるように構成されていることを特徴とする。ここで、第３の観点の考案と同様に、脚部と覆い又は空気清浄機の相互の固定、保持方法は任意に選択可能であり、脚部の個数と強度も他の構成物に合わせて選択可能である。本観点の考案では、脚部の強度が十分であれば、その個数は１個であってもよい。また、脚部の下端を机又はテーブル上に静置する構成の一例としては、机又はテーブル上に、脚部の先端を差込可能な構造を設けた十分な重量を有する重しを置いてもよい。
【００１２】
第５の観点では、本考案は、前記第1又は第２の観点の簡易型空気清浄ユニットにおいて前記設置手段は、前記覆い又は前記空気清浄機を上方より固定又は保持するための
上部取り付け手段を有することを特徴とする。机又はテーブルの上方に覆いと空気清浄機を吊るすための固定個所や棚板等が存在する場合は、上方より覆いと空気清浄機を固定又は保持してもよい。
【００１３】
第６の観点では、本考案は、前記第１乃至第５の観点の簡易型空気清浄ユニットにおいて、前記設置手段は、前記空気清浄機を載置し保持するための空気清浄機ホルダを有することを特徴とする。空気清浄機ホルダは、空気清浄機を載置し保持するための構造物であり、例えば、空気清浄機が円柱形状である場合は、空気清浄機がほぼ隙間なくそこに収まり、振動などがあっても倒れないように保持可能な深さを有する円形状の窪みを有する構造物が該当する。又は、空気清浄機ホルダは、空気清浄機を固定する手段を有していてもよい。空気清浄機ホルダは脚部と一体に形成されていてもよく、又は空気清浄機ホルダに脚部を取り付ける構造、脚部に空気清浄機ホルダを取り付ける構造等、任意に選択可能である。
【００１４】
第７の観点では、本考案は、前記第１乃至第６の観点の簡易型空気清浄ユニットにおいて、前記覆いの上端は前記机又はテーブルの表面より５０ｃｍ以上上方に位置することを特徴とする。食事や会議等において、多くの場合、机又はテーブルの表面より５０ｃｍ以上上方に覆いの上端があれば、会食や会議が可能であり、会食や会議等の参加者より排出された机又はテーブル上の空気の換気が可能である。
【００１５】
第８の観点では、本考案は、前記第１乃至第７の観点の簡易型空気清浄ユニットにおいて、前記覆いと前記空気清浄機との間の隙間が５ｍｍ以内となるように構成されていることを特徴とする。覆いと空気清浄機との間の隙間をできるだけ小さくすることにより机又はテーブル上の汚染された可能性がある空気がそのまま覆いの上側に抜けるのを防ぐことができる。本観点の考案のように、その隙間を５ｍｍ以内とすることは実用的に容易であり、また、５ｍｍ以内とすれば空気の漏れを小さくすることができる。
【００１６】
第９の観点では、本考案は、前記第１乃至第８の観点の簡易型空気清浄ユニットにおいて、前記覆いの下側の開口部の大きさは、前記机又はテーブルの表面積の３０％以上であることを特徴とする。机やテーブル上の空気を効率的に換気して清浄化するためには、大きな覆いと換気容量が大きな空気清浄機を用いればよいが、本考案の目的とする容易に設置可能な簡易型のユニット構成を得るためには覆いの大きさや空気清浄機の形状及び重量は制限される。覆いの面積が机又はテーブルの表面積の３０％以上であれば、机やテーブル上の空気のある程度の換気が可能であり、本考案の効果が得られる。
【考案の効果】
【００１７】
上記のように、本考案により、机やテーブル上の空気を常に換気して清浄化することが可能で、容易に設置可能な簡易型空気清浄ユニットが得られる。
【図面の簡単な説明】
【００１８】
【図１】実施例１に係る簡易型空気清浄ユニットの概略形状を示す斜視図。
【図２】実施例１の簡易型空気清浄ユニットの分解斜視図。
【図３】実施例２に係る簡易型空気清浄ユニットの概略形状を示す模式的な斜視図。
【図４】実施例３に係る簡易型空気清浄ユニットの概略形状を示す模式的な斜視図。
【考案を実施するための形態】
【００１９】
以下、図面を参照して本考案の簡易型空気清浄ユニットを実施例により詳細に説明する。なお、図面の説明において同一の要素には同一符号を付し、その重複した説明を省略する。
【実施例１】
【００２０】
図１は、本考案の実施例１に係る簡易型空気清浄ユニットの概略形状を示す斜視図であり、図２は実施例１の簡易型空気清浄ユニットの分解斜視図である。
図１において、本実施例の簡易型空気清浄ユニット１０は、長方形状のテーブル板１ａを有するテーブル１の上方に設置された覆い２と、覆い２の中央を貫通して設置された小型で円柱状の空気清浄機３とを備えている。ここで、空気清浄機３は、必要とされる時間、他の電源からの電力の供給なしで動作させることが可能なバッテリーとしてモバイルバッテリーを外付けで取り付けて使用するように構成されている。空気清浄機３の吸気口３ａ（図２参照）は覆いの下側に、排気口３ｂは覆いの上側に配置されている。また、覆い２と空気清浄機３をテーブル１の上方に設置する設置手段として、覆い２を固定し空気清浄機３を保持するための４個の脚部４を備えている。脚部４の下端４ａはテーブルの縁部に固定する固定具５により固定されている。
【００２１】
次に、図２により、本実施例の簡易型空気清浄ユニット１０の詳細構造について説明する。簡易型空気清浄ユニット１０は空気清浄機３を載置し保持するための空気清浄機ホルダ６を有しており、空気清浄機ホルダ６は金属棒を加工して形成され、空気清浄機３の外形が嵌る上環部６ａと空気清浄機３を支える底部６ｂとから構成されている。空気清浄機３には、モバイルバッテリー３ｃが取り付けられる。また、４つの脚部のそれぞれの上端４ｃは空気清浄機ホルダ６の上環部６ａに固定されている。４つの脚部のそれぞれの下端４ａは管状になっており、固定具５の脚ホルダ５ｄに差し込まれて固定される。固定具５はテーブル板１ａの４つの角部を上下から挟んで固定する取付部５ａと、取付部５ａとテーブル板の上面との間に挿入するゴム材５ｂ、テーブル板の下側から取付部５ａをネジでテーブル板に固定するネジ部５ｃとを備えている。
【００２２】
覆い２は、長方形の外形を有し、中心に空気清浄機３が貫通する穴２ａを有している。また、その長方形の対角線が脚部４の鉛直部４ｄから鈍角に曲げられた上部４ｂに接して上側に凸の四角錐状に構成されている。覆い２は脚部４の上部４ｂに固定テープにより固定されている。接着、紐等により固定してもよい。本実施例の簡易型空気清浄ユニット１０では、組み立てや取り外しが可能となるように構成されている。本実施例において、覆い２の上端である穴２ａはテーブル板１ａの上面より７０ｃｍ上方に位置し、穴２ａと空気清浄機３との間の隙間は５ｍｍ以下である。なお、例えば、穴径が空気清浄機３の外形に隙間なく嵌るようなシート状の円環を覆い２の穴２ａの下側又は上側に設けることにより、その隙間を塞ぐことができる。また、覆い２の下側の開口部の大きさはテーブル板１ａの面積の５０％程度である。
【００２３】
本実施例の簡易型空気清浄ユニット１０において、テーブル１を囲んで座っている会食や会議等の参加者より排出されたテーブル１上の汚染の可能性のある空気は空気清浄機３の吸気口３ａにより吸い取られ、覆いの上側の空気清浄機３の排気口３ｂより清浄空気として外部に排出される。その清浄空気はテーブル１の周囲より流入するので、テーブル１上の空気は常に換気されて清浄化されることになる。
【００２４】
本実施例の簡易型空気清浄ユニット１０の脚部４は空気清浄機３や覆い２を支えることができる強度を有するものであればステンレス管や他の金属、さらには強化プラスチック、カーボン素材等、任意の材料が選択可能である。また、空気清浄機ホルダ６は、脚部４が金属素材である場合は脚部４と同じ金属素材で構成することが望ましいが、脚部４とは別の素材で構成してもよく、円筒状の金属板やプラスチック板等で構成してもよい。覆い２の素材も空気の流れ、又はウィルス等の汚染物質を遮断できる素材であれば任意に選択可能であり、布素材、有機シート素材、紙素材等が可能である。  
【実施例２】
【００２５】
図３は、実施例２に係る簡易型空気清浄ユニットの概略形状を示す模式的な斜視図である。図３において、本実施例の簡易型空気清浄ユニット２０は、円形のテーブル板１１ａを有するテーブル１１の上方に設置された覆い１２と、覆い１２の中央を貫通して設置された実施例１の空気清浄機と同じ空気清浄機３とを備えている。空気清浄機３の吸気口は覆い１２の下側に、排気口は覆い１２の上側に配置されている。また、覆い１２と空気清浄機３をテーブル１１の上方に設置する設置手段として、空気清浄機ホルダ１６と、脚部１４、及び脚部１４の下端を保持する基台１５とを備えている。空気清浄機ホルダ１６は金属板又は金属棒を加工して形成された円筒形状であり、空気清浄機３の外形が嵌る内径と空気清浄機３を支える底部を有している。
【００２６】
脚部１４は、その上端が空気清浄機ホルダ１６に強固に固定され、その下端は重しの役割を有する基台１５の中央に設けた差込穴１５ａに差し込まれ、固定されている。覆い１２は一般的な傘のような曲面形状を有し、空気清浄機ホルダ１６に取り付けられた傘の桟のような形状を有する金属棒に固定されている。空気清浄機ホルダ１６と脚部１４、及び基台１５は、振動等に対しても空気清浄機３と覆い１２を保持できるような十分な強度を有するように設計され構成されている。
【００２７】
本実施例の簡易型空気清浄ユニット２０においても、テーブル１１上の汚染の可能性のある空気は空気清浄機３により常に換気されて清浄化される。
【実施例３】
【００２８】
図４は、実施例３に係る簡易型空気清浄ユニットの概略形状を示す模式的な斜視図である。図４において、本実施例の簡易型空気清浄ユニット３０は、長方形のテーブル板２１ａを有するテーブル２１の上方に設置された覆い２２と、覆い２２の中央を貫通して設置された実施例１の空気清浄機と同じ空気清浄機３とを備えている。空気清浄機３の吸気口は覆い２２の下側に、排気口は覆い２２の上側に配置されている。また、覆い２２と空気清浄機３をテーブル２１の上方に設置する設置手段として、空気清浄機ホルダ２６と、吊り下げワイヤ２５、及び吊り下げワイヤ２５を上方に設けた固定具に引っ掛けるフック２７とを備えている。空気清浄機ホルダ２６は金属板又は金属棒を加工して形成された空気清浄機３を収納できるような円筒形状の籠部２６ａと籠部２６ａを吊り下げワイヤ２５に固定するワイヤ部２６ｂとを備えている。
【００２９】
覆い２２は長方形の外形を有し、中心に空気清浄機３及び空気清浄機ホルダ２６が貫通する穴２２ａを有している。また、その長方形の対角線に空気清浄機ホルダ２６に固定された金属棒やプラスチック棒等からなる桟２４を有し、覆い２２はその桟２４の上からに固定テープや接着、紐等により固定されている。空気清浄機ホルダ２６、吊り下げワイヤ２５及びフック２７は、空気清浄機３と覆い２２を安定に保持できるような十分な強度を有するように設計され構成されている。なお、空気清浄機３と覆い２２の回転を防ぐために、吊り下げワイヤを２本以上にすること、回転防止用のワイヤを空気清浄機ホルダ２６や覆い２２に取り付け、その先を他の固定個所に固定する等の手段を付加してもよい。
【００３０】
本実施例の簡易型空気清浄ユニット３０においても、テーブル２１上の汚染の可能性のある空気は空気清浄機３により常に換気されて清浄化される。
【００３１】
なお、本考案は上記の実施例に限定されるものではないことは言うまでもなく、目的や用途に応じて設計変更可能である。例えば、本考案に使用する空気清浄機は電源が確保できればバッテリーを備えていなくてもよい。ＡＣアダプター入力であってもよい。設置手段における空気清浄機と覆いの固定、保持方法は、使用する場所、形態等に応じて変更可能である。覆いの形状、材質等も使用目的や形態、設計コスト等に応じて任意に選択可能である。
【符号の説明】
【００３２】
１、１１、２１    テーブル
１ａ、１１ａ、２１ａ    テーブル板
２、１２、２２      覆い
２ａ、１２ａ、２２ａ    穴    
３    空気清浄機
３ａ    吸気口
３ｂ    排気口
３ｃ    モバイルバッテリー
４、１４    脚部
４ａ    下端
４ｂ    上部
４ｃ    上端
４ｄ    鉛直部
５    固定具
５ａ    取付部
５ｂ    ゴム材
５ｃ    ネジ部
５ｄ    脚ホルダ
６、１６、２６    空気清浄機ホルダ
６ａ    上環部
６ｂ    底部
１０、２０、３０    簡易型空気清浄ユニット
１５    基台
１５ａ    差込穴
２４    桟
２５    吊るしワイヤ
２６ａ    籠部
２６ｂ    ワイヤ部
２７    フック
【図１】
0003233108.tif 000003
【図２】
0003233108.tif 000004
【図３】
0003233108.tif 000005
【図４】
0003233108.tif 000006